【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
スモールセルのための動作チャネルを選択するための方法であって、
スモールセルにおける動作チャネルとして運用、管理、および運営(OAM)ノードからダウンロードされたチャネルリストから初期チャネルを選択するステップと、
1つまたは複数のサービスされるユーザ機器(UE)によって提供される少なくとも1つのダウンリンク品質メトリックを決定するステップと、
前記1つまたは複数のサービスされるUEから受信した通信に基づいて少なくとも1つのアップリンク品質メトリックを決定するステップと、
前記少なくとも1つのダウンリンク品質メトリックおよび前記少なくとも1つのアップリンク品質メトリックをそれぞれのしきい値と比較することに少なくとも部分的に基づいて、前記スモールセルにおいて前記チャネルリストから異なる動作チャネルを選択することを決定するステップと、
前記異なる動作チャネルを選択することを決定するステップに少なくとも部分的に基づいて、前記スモールセルによってサービスされる1つまたは複数の接続モードUEを1つまたは複数の隣接セルへハンドオーバさせるステップと、
前記異なる動作チャネルを選択することを決定するステップに少なくとも部分的に基づいて、1つまたは複数のアイドルモードUEに前記1つまたは複数の隣接セルへ再選択させるために、前記スモールセルにキャンプする前記1つまたは複数のアイドルモードUEのために設定された1つまたは複数のパラメータを変更するステップと、
少なくとも、前記1つまたは複数の接続モードUEが前記1つまたは複数の隣接セルへハンドオーバされるとき、前記異なる動作チャネルを使用するように切り替えるステップと
を備える方法。
【請求項２】
前記異なる動作チャネルを選択することを決定するステップが、前記少なくとも1つのダウンリンク品質メトリックを第1のしきい値と比較し、前記少なくとも1つのアップリンク品質メトリックを第2のしきい値と比較することに基づいて1つまたは複数のUEのための干渉状態を決定することに少なくとも部分的に基づき、前記少なくとも1つのアップリンク品質メトリックを前記第2のしきい値と比較することが、前記少なくとも1つのダウンリンク品質メトリックが前記第1のしきい値未満ではないことを決定することに少なくとも部分的に基づく、請求項1に記載の方法。
【請求項３】
前記異なる動作チャネルを選択することを決定するステップが、さらに、以前の動作チャネル選択に続くイベントの発生を検出することに少なくとも部分的に基づくとともに、前記以前の動作チャネル選択に続いて初期化される設定された持続性遅延に基づく、請求項1に記載の方法。
【請求項４】
前記1つまたは複数の接続モードUEをハンドオーバさせるステップが、X2インターフェースを介して前記1つまたは複数の隣接セルとのハンドオーバをネゴシエートするステップを備える、請求項1に記載の方法。
【請求項５】
前記1つまたは複数の接続モードUEをハンドオーバさせるステップが、ハンドオーバを容易にするために測定報告を生成することに関連する1つまたは複数のイベントをトリガするための前記1つまたは複数の接続モードUEに設定される1つまたは複数のイベントパラメータを変更するステップを備える、請求項1に記載の方法。
【請求項６】
前記1つまたは複数のアイドルモードUEのために設定された前記1つまたは複数のパラメータが、ヒステリシスパラメータ、オフセットパラメータ、またはアイドルモード再選択に関連するチャネル優先度パラメータを備える、請求項1に記載の方法。
【請求項７】
前記1つまたは複数の接続モードUEから受信した1つまたは複数の測定報告から複数の動作チャネルのための信号強度測定値を決定することに少なくとも部分的に基づいて前記異なる動作チャネルを選択するステップをさらに備える、請求項1に記載の方法。
【請求項８】
前記1つまたは複数の測定報告に少なくとも部分的に基づいて隣接リストを定義するステップと、
前記隣接リストを、前記1つまたは複数のサービスされるUEに伝達するステップと
をさらに備える、請求項7に記載の方法。
【請求項９】
スモールセルのための動作チャネルを選択するための装置であって、
スモールセルにおける動作チャネルとして運用、管理、および運営(OAM)ノードからダウンロードされたチャネルリストから初期チャネルを選択するための手段と、
1つまたは複数のサービスされるユーザ機器(UE)によって提供される少なくとも1つのダウンリンク品質メトリックを決定するための手段と、
前記1つまたは複数のサービスされるUEから受信した通信に基づいて少なくとも1つのアップリンク品質メトリックを決定するための手段と、
前記少なくとも1つのダウンリンク品質メトリックおよび前記少なくとも1つのアップリンク品質メトリックをそれぞれのしきい値と比較することに少なくとも部分的に基づいて、前記スモールセルにおいて前記チャネルリストから異なる動作チャネルを選択することを決定するための手段と、
前記異なる動作チャネルを選択するために決定することに少なくとも部分的に基づいて、前記スモールセルによってサービスされる1つまたは複数の接続モードUEを1つまたは複数の隣接セルへハンドオーバさせるための手段と、
前記異なる動作チャネルを選択することを決定することに少なくとも部分的に基づいて、1つまたは複数のアイドルモードUEに前記1つまたは複数の隣接セルへ再選択させるために、前記スモールセルにキャンプする前記1つまたは複数のアイドルモードUEのために設定された1つまたは複数のパラメータを変更するための手段と、
少なくとも、前記1つまたは複数の接続モードUEが前記1つまたは複数の隣接セルへハンドオーバされるとき、前記異なる動作チャネルを使用するように切り替えるための手段と
を備える装置。
【請求項１０】
前記少なくとも1つのダウンリンク品質メトリックを第1のしきい値と比較するための手段と、前記少なくとも1つのアップリンク品質メトリックを第2のしきい値と比較するための手段とに基づいて1つまたは複数のUEのための干渉状態を決定するための手段をさらに備え、前記少なくとも1つのアップリンク品質メトリックを前記第2のしきい値と比較するための手段が、前記少なくとも1つのダウンリンク品質メトリックが前記第1のしきい値未満ではないことを決定するための手段に少なくとも部分的に基づき、前記異なる動作チャネルを選択することを決定するための手段が、前記干渉状態に少なくとも部分的に基づいて前記異なる動作チャネルを選択することを決定する、請求項9に記載の装置。
【請求項１１】
前記決定するための手段が、以前の動作チャネル選択に続くイベントの発生を検出することに少なくとも部分的に基づくとともに、前記以前の動作チャネル選択に続いて初期化される設定された持続性遅延に基づいて、前記異なる動作チャネルを選択することを決定する、請求項9に記載の装置。
【請求項１２】
前記ハンドオーバさせるための手段が、少なくとも部分的に、X2インターフェースを介して前記1つまたは複数の隣接セルとのハンドオーバをネゴシエートすることによって、前記1つまたは複数の接続モードUEをハンドオーバさせる、請求項9に記載の装置。
【請求項１３】
前記ハンドオーバさせるための手段が、少なくとも部分的に、ハンドオーバを容易にするために測定報告を生成することに関連する1つまたは複数のイベントをトリガするための前記1つまたは複数の接続モードUEに設定される1つまたは複数のイベントパラメータを変更することによって、前記1つまたは複数の接続モードUEをハンドオーバさせる、請求項9に記載の装置。
【請求項１４】
前記1つまたは複数のアイドルモードUEのために設定された前記1つまたは複数のパラメータが、ヒステリシスパラメータ、オフセットパラメータ、またはアイドルモード再選択に関連するチャネル優先度パラメータを備える、請求項9に記載の装置。
【請求項１５】
スモールセルのための動作チャネルを選択するためのコンピュータ実行可能コードを記憶する非一時的コンピュータ可読記憶媒体であって、請求項1から8のいずれか一項に記載の方法を実行するように構成されたコードを備える、コンピュータ可読記憶媒体。